(57)【特許請求の範囲】
【請求項１】
循環ポンプの駆動により、浴槽から戻り管、循環ポンプ、追い焚き熱交換器、往管を順に通して浴槽に戻る経路で浴槽水を循環する追い焚き循環通路の前記往管に介設される流路切り替えユニットを、浴室に設置される浴槽と該浴槽近傍の浴室壁面との間のデッドスペースに配置する流路切り替えユニットの配置構造であって、前記流路切り替えユニットはそのユニットボディー内に流路切り替え弁を構築した構成と成し、前記流路切り替え弁は、前記追い焚き熱交換器から前記流路切り替え弁に至る往管の一部の通路を、前記流路切り替え弁から浴槽に至る往管の残りの一部の通路と排水通路との一方へ選択的に切り替える三方弁の構成形態と成して、前記ユニットボディーの外面には前記往管の一部の通路と前記往管の残りの一部の通路と前記排水通路とにそれぞれ接続する接続部位が設けられており、前記浴室壁面にはユニット取り付け具が固定されており、該ユニット取り付け具には前記流路切り替えユニットがスライド移動可能なスライド移動面が形成されており、前記流路切り替えユニットは前記ユニット取り付け具の前記スライド移動面にスライド移動自在に載置されて、前記ユニット取り付け具に着脱自在にねじ固定される構成と成し、当該ねじ固定のねじの螺合進退方向は前記デッドスペース間の浴室壁面及び浴槽壁面に沿う方向と成していることを特徴とする流路切り替えユニットの配置構造。
【請求項２】
流路切り替えユニットがユニット取り付け具に１箇所の位置でねじ固定されていることを特徴とする請求項１記載の流路切り替えユニットの配置構造。
【請求項３】
請求項１又は請求項２記載の流路切り替えユニットの配置構造を構成する流路切り替えユニットであって、該流路切り替えユニットを構成するユニットボディーの内壁面には凹部が形成され、該凹部の開口面は弾性を有する弾性部材によって気密に閉鎖されて該弾性部材と凹部の壁面とによって圧力緩和室が形成され、前記凹部の壁面には前記圧力緩和室を外気に連通する通気孔が形成されていることを特徴とする流路切り替えユニット。
【請求項４】
請求項１又は請求項２記載の流路切り替えユニットの配置構造を構成するユニット取り付け具であって、該ユニット取り付け具は間隔を介して互いに対向状態に配置されて連接された対を成す立設板を有し、該対を成す一方の立設板にはねじ挿通孔と、該ねじ挿通孔よりも大径でねじ回しの工具が挿入可能な工具挿入孔とが複数形成され、前記対を成す他方の立設板には前記一方の立設板のねじ挿通孔に対向する位置に工具挿入孔が形成されると共に、前記一方の立設板の工具挿入孔に対向する位置にねじ挿通孔が形成されており、前記対を成す立設板の上端部間の板面にスライド移動面が形成されていることを特徴とするユニット取り付け具。
【請求項５】
バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える流路切り替え弁を内蔵した流路切り替えユニットと、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記流路切り替えユニットから前記排水通路を通して外部へ排出する給湯風呂装置であって、前記流路切り替えユニットの配置構造は請求項１又は請求項２記載の配置構造としたことを特徴とする給湯風呂装置。
【発明の詳細な説明】
【技術分野】
【０００１】
本発明は、風呂の追い焚き循環通路の一部の通路を通して排水する排水通路の流路と本来の追い焚き循環通路の流路とを切り替える流路切り替えユニットの配置構造と、その配置構造を構成する流路切り替えユニットおよびユニット取り付け具と、前記流路切り替えユニットの配置構造を備えた給湯風呂装置給湯風呂装置とに関するものである。
【背景技術】
【０００２】
図２には本出願人が開発中の給湯風呂装置のシステム構成が示されている。同図において、燃焼器具１の燃焼室２内には給湯熱交換器と追い焚き熱交換器１２とが配置されている。給湯熱交換器はメイン熱交換器３と潜熱熱交換器４とから成る。メイン熱交換器３の下方側には１つ以上（図では３個）の給湯バーナ５が配置されており、追い焚き熱交換器１２の下方側には追い焚きバーナ１３が配置されている。
【０００３】
これら、給湯バーナ５と追い焚きバーナ１３はそれぞれ分岐ガス管８に連通接続されており、各分岐ガス管８は基幹ガス管７に統合されている。各分岐ガス管８にはガス弁１１が介設されており、基幹ガス管７には元ガス弁９と比例弁１０が設けられている。比例弁１０は給湯バーナ５や、追い焚きバーナ１３に供給するガス量を開弁量によって調整するものであり、その開弁量の制御は制御装置によって行われている。燃焼室２の下部側に設けられている燃焼ファン６はファン回転によって給湯バーナ５および追い焚きバーナ１３へ給排気の空気を供給する。ファン回転数は制御装置によって制御されている。制御装置はバーナ５、１３の燃焼量にマッチングした風量を対応するバーナ５、１３に供給すべく燃焼ファン６のファン回転数を制御する。
【０００４】
前記潜熱熱交換器４はメイン熱交換器３よりも上方側（燃焼ガスの流れの下流側）に配置されている。潜熱熱交換器４の入水口には給水管１４が接続され、潜熱熱交換器４の出口はメイン熱交換器３の入水口に連通接続され、メイン熱交換器３の出口には給湯管１５が接続されている。メイン熱交換器３は給湯バーナ５による燃焼ガスの顕熱を吸熱し、潜熱熱交換器４は主に燃焼ガスの潜熱を吸熱して給水管１４から供給される水を加熱して設定温度（リモコン等により設定される給湯の設定温度）の湯を作り出し、給湯管１５を通してその湯を給湯の要求先に供給する。
【０００５】
潜熱熱交換器４の下部側には燃焼ガスの潜熱回収時に発生するドレンを受けるドレン受１６が配置されており、このドレン受１６に受け止められたドレンはドレン管１７を通して中和器１８に入り込む。中和器１８には炭酸カルシウム等の中和剤が充填されており、酸性を有するドレン水が中和される。この中和されたドレン水は下側のドレンタンク１９に貯留される。
【０００６】
前記追い焚き熱交換器１２の入水口には管路２９の一端側が接続されており、管路２９の他端側は循環ポンプ４７のポンプ吐出口２６に接続されている。追い焚き熱交換器１２の出口は往管３０の一端側に接続され、往管３０の他端側はアダプタ３１を介して浴槽３２に接続されている。この往管３０には循環系と排水系の通路（流路）を切り替える流路切り替え弁としての第３の切り替え弁３５が介設されており、第３の切り替え弁３５は追い焚き熱交換器１２側から往管３０を通して流れてくる流水を浴槽３２側への通路（循環系の通路）と排水通路４８への通路（排水系の通路）との一方側へ選択的に切り替えるもので、排水通路４８は浴室内に配置されており、排水通路４８から排出された流水は浴室の洗い場の排水口に入り、外部へ排水される構成と成している。図２の例では、第３の切り替え弁３５は流路切り替えユニット３６としてユニットの形態で構成されて、往管３０に組み込まれている。
【０００７】
前記循環ポンプ４７のポンプ吸い込み口２５は注湯・注水流路切り替え弁としての第２の切り替え弁３４を介して戻り管２８に連通接続されており、浴槽３２、戻り管２８、その戻り管２８の分岐通路２８ａ、２８ｂのうちの一方側の分岐通路２８ｂ、循環ポンプ４７、管路２９、追い焚き熱交換器１２、往管３０、第３の切り替え弁３５を順に介して浴槽３２に戻る通路は追い焚き循環通路２７を形成している。
【０００８】
前記給湯管１５には湯・水供給通路２０の一端側が接続され、湯・水供給通路２０の他端側は注湯・注水電磁弁４４を介して第１の切り替え弁３３に接続されている。第１の切り替え弁３３にはドレンタンク排出路２３の出口とポンプ連通用通路２４の入口側が接続されており、ドレンタンク排出路２３の入口側は逆止弁２２を介してドレンタンク１９の底部に連通接続されている。また、ポンプ連通用通路２４の出口は第２の切り替え弁３４に接続されている。第１の切り替え弁３３は湯・水供給通路２０とドレンタンク排出路２３との一方側を選択的にポンプ連通用通路２４へ切り替えるものである。なお、第１の切り替え弁３３によって湯・水供給通路２０がポンプ連通用通路２４に連通状態にあるときにはポンプ連通用通路２４は湯・水供給通路２０として機能し、第１の切り替え弁３３によってドレンタンク排出路２３がポンプ連通用通路２４に連通されている状態にある時には、ポンプ連通用通路２４はドレンタンク排出路２３として機能する。
【０００９】
また、前記第２の切り替え弁３４は四方弁として機能し、戻り管２８の分岐通路２８ｂを循環ポンプ４７のポンプ吸い込み口２５に接続する動作と、ポンプ連通用通路２４を循環ポンプ４７のポンプ吸い込み口２５に接続する動作と、戻り管２８の分岐通路２８ｂを循環ポンプ４７のポンプ吸い込み口２５に接続し、かつ、戻り管２８の分岐通路２８ａをポンプ連通用通路２４に接続する動作とを制御装置からの指令に応じ選択的に行うものである。
【００１０】
上記第１の切り替え弁３３、第２の切り替え弁３４、第３の切り替え弁３５はそれぞれモータを備え、モータの駆動によって通路（流路）を切り替える構成と成している。このようなモータ駆動によって通路（流路）を切り替える弁は周知であるので、この弁の具体的な構成や、その作用の説明は省略する。
【００１１】
なお、図２中、３７は湯水温を検出するサーミスタ、３８は水量センサ、３９はバイパス通路、４０は流水流量を調節する水量サーボ、４１はバイパス通路３９に流れる給水の水量を調節するバイパスサーボ、４２は大気開放弁、４３は逆止弁、４９はドレンタンク１９からのオーバーフロー水や、大気開放弁４２から出る水を外部へ排出する排水管、２１はドレンタンク１９内に貯留されているドレン水の水位レベルを検出するための複数の水位電極、をそれぞれ示している。
【００１２】
この給湯風呂装置は、制御装置によって、給湯運転と、追い焚き運転と、湯張り運転と、ドレン排水運転と、ドレン洗浄運転との各運転動作が制御されており、以下、これらの各運転動作の一例を簡単に説明する。
【００１３】
給湯運転は給湯管１５の先方に設けられている給湯栓（図示せず）等が開かれることによって開始する。給湯栓が開かれると給水管１４に給水が導入される。この給水管１４に流れる流量が水量センサ３８によって検出されて作動流量以上に達すると、給湯バーナ５へ通じる分岐ガス管８のガス弁１１が開けられるとともに燃焼ファン６のファン回転が行われて、要求燃焼量に応じて選択された個数の給湯バーナ５の燃焼が行われ、潜熱熱交換器４およびメイン熱交換器３を通る水が加熱されて湯が作り出され、この湯が給湯管１５を通して開状態の給湯栓に供給されて出湯される。
【００１４】
追い焚き運転はリモコンによって追い焚き運転が指令されたときや、保温機能を有する器具においては浴槽湯水の温度が設定温度よりも許容範囲を越えて低下したとき等に行われる。この追い焚き運転は第２の切り替え弁３４によって戻り管２８の分岐通路２８ｂが循環ポンプ４７のポンプ吸い込み口２５に連通され、第３の切り替え弁３５によって追い焚き熱交換器１２から第３の切り替え弁３５までの往管３０の一部の通路３０ｂが第３の切り替え弁３５から浴槽３２に至る往管３０の残りの通路３０ａに連通された状態で循環ポンプ４７を駆動することにより行われる。循環ポンプ４７の駆動によって、浴槽３２内の湯水が追い焚き循環通路２７を通して循環し、循環水が流水スイッチ４５によって検出されたときに燃焼ファン６の回転駆動と追い焚きバーナ１３の燃焼が開始され、循環水が追い焚き熱交換器１２を通るときに追い焚きバーナ１３の燃焼熱によって加熱され、浴槽湯水の温度が上昇する。追い焚き循環通路２７に設けたサーミスタ３７によって検出される浴槽湯水の温度がリモコンによって設定された風呂の設定温度に達した時等に循環ポンプ４７の動作が停止され、追い焚きバーナ１３の燃焼停止および燃焼ファン６の回転停止が行なわれて追い焚き運転が終了となる。
【００１５】
湯張り運転は、リモコン等により湯張り運転（自動運転）が指令されることによって開始する。湯張り運転（自動運転）が指令されると、第１の切り替え弁３３により湯・水供給通路２０をポンプ連通用通路２４に連通する動作と、第２の切り替え弁３４により戻り管２８の分岐通路２８ｂを循環ポンプ４７のポンプ吸い込み口２５に連通すると共に、戻り管２８の分岐通路２８ａをポンプ連通用通路２４に連通する動作と、第３の切り替え弁３５により往管３０の追い焚き熱交換器１２から第３の切り替え弁３５までの通路部分３０ｂを往管３０の第３の切り替え弁３５から浴槽３２に至る通路部分３０ａに連通させる動作とが行われ、この流路の切り替え状態で、注湯・注水電磁弁４４が開けられる。
【００１６】
そうすると、給水管１４から給湯熱交換器（潜熱熱交換器４およびメイン熱交換器３）に給水が導入されることにより、前記の給湯運転の動作と同様に動作して給湯熱交換器で湯張り設定温度の湯が作り出され、その湯はメイン熱交換器３から給湯管１５、湯・水供給通路２０、第１の切り替え弁３３、ポンプ連通用通路２４、第２の切り替え弁３４へと順に流れる。そして、ポンプ連通用通路２４から第２の切り替え弁３４に供給されてきた湯は、分岐通路２８ａ、戻り管２８を順に経て浴槽３２に至る流れと、分岐通路２８ａ、分岐通路２８ｂ、ポンプ吸い込み口２５、循環ポンプ４７、ポンプ吐出口２６、管路２９、追い焚き熱交換器１２、往管３０（３０ｂ）、第３の切り替え弁３５、往管３０（３０ａ）を順に経て浴槽３２に至る流れとによって、浴槽３２に落とし込まれ、浴槽３２内の湯の水位が時間の経過にともない上昇していく。そして、水位センサ４６によって水圧により検出された浴槽水位がリモコンによって設定された湯張り設定水位に達したときに注湯・注水電磁弁４４が閉じられ、湯張りの動作が終了する。
【００１７】
なお、湯張りが完了した後に保温動作や保水動作を行う機能を有する器具においては湯張りの後にそれらの運転モードに移行する。
【００１８】
ドレン排水運転は予め定められたドレン排水開始条件が満たされたとき（例えば、水位電極２１によってドレンタンク１９内のドレン水の水位が予め定めた排水レベルに達したとき等）に運転が開始する。この運転開始に際しては、第２の切り替え弁３４によりポンプ連通用通路２４を循環ポンプ４７のポンプ吸い込み口２５に連通接続し、次に、第３の切り替え弁３５により追い焚き熱交換器１２から第３の切り替え弁３５までの往管３０ｂの通路を排水通路４８に連通接続し、次に、第１の切り替え弁３３によりドレンタンク排出路２３をポンプ連通用通路２４に連通接続した状態で、循環ポンプ４７を駆動する。
【００１９】
循環ポンプ４７の駆動により、ドレンタンク１９内のドレン水はドレンタンク排出路２３、ポンプ吸い込み口２５、循環ポンプ４７、ポンプ吐出口２６、管路２９、追い焚き熱交換器１２、往管３０ｂ、第３の切り替え弁３５を順に経て排水通路４８から浴室（具体的には浴室の洗い場）に排出される。
【００２０】
そして、予め定めたドレン排水終了条件に達したとき（例えば、ドレンタンク１９内のドレン水の水位が予め定めたドレン排水終了レベルに達したとき等）に循環ポンプ４７の駆動を停止し、ドレン排水運転を終了する。
【００２１】
ドレン洗浄運転はドレン排水運転によって通路に付着したドレン水を洗浄するものであり、ドレン排水運転の後に行うもので、ドレン洗浄運転の開始に際しては、第１の切り替え弁３３によりポンプ連通用通路２４を湯・水供給通路２０に連通接続し、次に、注湯・注水電磁弁４４を開動作させることにより開始する。このとき、第２の切り替え弁３４、第３の切り替え弁３５はドレン排水運転の切り替え位置であり、往管３０ｂは排水通路４８に連通接続された状態になっている。
【００２２】
注湯・注水電磁弁４４を開動作させることにより給水管１４から給水が給湯熱交換器（潜熱熱交換器４およびメイン熱交換器３）に入り、給湯運転時と同様に給湯バーナ５の燃焼が行われ、給湯熱交換器により湯が作り出される。この湯は、給湯管１５から湯・水供給通路２０、第１の切り替え弁３３、ポンプ連通用通路２４、循環ポンプ４７、追い焚き熱交換器１２、往管３０ｂ、第３の切り替え弁３５を順に経て排水通路４８から浴室内に排水される。注水量が予め定めた設定流量に達したとき、或いは、注水時間が予め定めた時間に達したとき等の、洗浄終了条件が満たされたときに注湯・注水電磁弁４４が閉動作され、注湯によるドレン洗浄運転が終了する。なお、給湯バーナ５を燃焼させずにドレン洗浄運転を同様に行えば、非加熱の水によってドレン洗浄運転が行われることになる。
【００２３】
このドレン洗浄運転の終了時には、第３の切り替え弁３５により往管３０ｂは往管３０ａに連通接続され、第２の切り替え弁３４により分岐通路２８ｂがポンプ吸い込み口２５に連通接続されるという如く、第２の切り替え弁３４と第３の切り替え弁３５は定位置となる追い焚き運転位置に通路の切り替えを行う。
【先行技術文献】
【特許文献】
【００２４】
【特許文献１】特開２００９−２２８９６３号公報
【発明の概要】
【発明が解決しようとする課題】
【００２５】
ドレンタンク１９のドレン水を外部へ排出する場合に、通常屋外に設置される燃焼器具１から直接的に外部へ垂れ流しするのは避けなければならない。そのため、燃焼器具１で生じたドレン水を常設の排水トラップへ排水する排水経路を設けることも考えられるが、そのような排水経路をドレン水の排水のためのみに設けるのは不経済である上に、その排水通路の形成には難工事を伴うことが多い。
【００２６】
その点、浴室には洗い場で使用した湯水を排水する排水装備が常備されており、また、浴室には浴槽と燃焼器具１を連通する追い焚き循環通路２７が配管されている。それ故、燃焼器具１で発生したドレン水の排水経路として、追い焚き循環通路２７の一部の経路（通路）を兼用して浴室内に排水すれば、上記の難工事を伴うことなく、ドレン水の排水経路を容易に形成することが可能となる。
【００２７】
この点に鑑み、本発明者は、ドレンタンク１９からのドレン水を追い焚き循環通路２７の往管３０ｂを通して浴室内に設けた排水通路４８から浴室に排出している。このように、ドレン水は浴室内に設けた排水通路４８を通して浴室の洗い場に排出されることから流路切り替えユニット３６も浴室内に設置することが望ましく、その流路切り替えユニット３６の設置場所として浴室空間の有効利用を効果的に図る観点から、浴槽３２と浴室壁面間のデッドスペースに設置するのが最適と考えた。
【００２８】
そこで、給湯風呂装置の開発の初期段階においては、流路切り替えユニット３６を浴槽３２と浴室壁面間のデッドスペースに配置して、流路切り替えユニット３６を直接的に浴室壁面に固定することを試みた。
【００２９】
しかし、そのようにすると、次のような不具合が発生するおそれがあることに気付いた。すなわち、給湯風呂装置の利用者の中には幼児を含む家族が想定される。幼児が玩具を手に持って遊んでいるときや、入浴中等に、玩具やタオルを、浴槽３２と浴室壁面との狭いデッドスペースに落とすことが考えられる。そのような場合、落とした玩具やタオルを幼児が狭いデッドスペースから取り出すのはできないので、父親等にその取出しをせがむことになる。
【００３０】
落とした玩具やタオルを取り出すためだけの仕事を工事業者に依頼するのはあまりにも大げさであるので、父親等は自分で取り出す羽目となる。しかし、狭いデッドスペースの空間に落ち込んだ玩具等を、その狭い空間に手を差し込んで取り出すのは非常に困難であり、浴槽３２を退かさなければならなくなる。一般的に、追い焚き循環通路２７はゴム管、架橋ポリエチレン管等で形成されており、多少の伸縮変形や撓曲変形は可能であるが、浴室壁面に固定されている流路切り替えユニット３６と浴槽３２間に配管されている追い焚き循環通路２７の短い管路部分は大きく変形できないので、玩具等を取り出すために必要な移動量だけ浴槽３２を退かすことができず、玩具等を取り出すために必要な移動量だけ浴槽３２を退かすためには、流路切り替えユニット３６と浴槽３２を接続している配管の一端側の接続を取り外さなければならない。
【００３１】
しかし、その配管の取り外し作業は浴槽３２と浴室壁面間の狭いデッドスペース内で行わなければならないので、素人の父親等にとっては、非常に大変な大仕事になってしまうという問題が生じてしまう。
【００３２】
本発明は上記課題を解決するために成されたものであり、その目的は、流路切り替えユニットを浴槽と浴室壁面間のデッドスペースに配置するにも拘らず、必要なときには浴槽を容易に退かし、また、退かした後に容易に元通りにすることが可能な、流路切り替えユニットの配置構造及びその流路切り替えユニットとユニット取り付け具並びに流路切り替えユニットを備えた給湯風呂装置を提供することにある。
【課題を解決するための手段】
【００３３】
上記目的を達成するために、本発明は次に示す構成をもって課題を解決する手段と成している。すなわち、第１の発明は、循環ポンプの駆動により、浴槽から戻り管、循環ポンプ、追い焚き熱交換器、往管を順に通して浴槽に戻る経路で浴槽水を循環する追い焚き循環通路の前記往管に介設される流路切り替えユニットを、浴室に設置される浴槽と該浴槽近傍の浴室壁面との間のデッドスペースに配置する流路切り替えユニットの配置構造であって、前記流路切り替えユニットはそのユニットボディー内に流路切り替え弁を構築した構成と成し、前記流路切り替え弁は、前記追い焚き熱交換器から前記流路切り替え弁に至る往管の一部の通路を、前記流路切り替え弁から浴槽に至る往管の残りの一部の通路と排水通路との一方へ選択的に切り替える三方弁の構成形態と成して、前記ユニットボディーの外面には前記往管の一部の通路と前記往管の残りの一部の通路と前記排水通路とにそれぞれ接続する接続部位が設けられており、前記浴室壁面にはユニット取り付け具が固定されており、該ユニット取り付け具には前記流路切り替えユニットがスライド移動可能なスライド移動面が形成されており、前記流路切り替えユニットは前記ユニット取り付け具の前記スライド移動面にスライド移動自在に載置されて、前記ユニット取り付け具に着脱自在にねじ固定される構成と成し、当該ねじ固定のねじの螺合進退方向は前記デッドスペース間の浴室壁面及び浴槽壁面に沿う方向と成している構成をもって課題を解決する手段と成している。
【００３４】
また、第２の発明は、前記第１の発明の構成を備えたものにおいて、前記流路切り替えユニットがユニット取り付け具に１箇所の位置でねじ固定されている構成をもって課題を解決する手段と成している。
【００３５】
さらに、第３の発明は前記第１又は第２の発明の流路切り替えユニットの配置構造を構成する流路切り替えユニットであって、該流路切り替えユニットを構成するユニットボディーの内壁面には凹部が形成され、該凹部の開口面は弾性を有する弾性部材によって気密に閉鎖されて該弾性部材と凹部の壁面とによって圧力緩和室が形成され、前記凹部の壁面には前記圧力緩和室を外気に連通する通気孔が形成されている構成をもって課題を解決する手段と成している。
【００３６】
さらに、第４の発明は前記第１又は第２の発明の流路切り替えユニットの配置構造を構成するユニット取り付け具であって、該ユニット取り付け具は間隔を介して互いに対向状態に配置されて連接された対を成す立設板を有し、該対を成す一方の立設板にはねじ挿通孔と、該ねじ挿通孔よりも大径でねじ回しの工具が挿入可能な工具挿入孔とが複数形成され、前記対を成す他方の立設板には前記一方の立設板のねじ挿通孔に対向する位置に工具挿入孔が形成されると共に、前記一方の立設板の工具挿入孔に対向する位置にねじ挿通孔が形成されており、前記対を成す立設板の上端部間の板面にスライド移動面が形成されている構成をもって課題を解決する手段と成している。
【００３７】
さらに、第５の発明は、バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える流路切り替え弁を内蔵した流路切り替えユニットと、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記流路切り替えユニットから前記排水通路を通して外部へ排出する給湯風呂装置であって、前記流路切り替えユニットの配置構造は前記第１又は第２の発明の配置構造とした構成をもって課題を解決する手段と成している。
【発明の効果】
【００３８】
本発明によれば、流路切り替えユニットをユニット取り付け具に取り付け固定するねじはデッドスペースで互いに対向している浴室壁面と浴槽壁面に沿う方向に螺合進退させる構成と成しているので、ねじを螺合進退させるねじ回しの工具（例えば、ドライバー）を、浴室壁面や、浴槽壁面に邪魔にならずにデッドスペース内に差し込んでねじ回しできることになり、ねじの着脱操作がしやすい方向となるので、浴槽を退かしたいときには、流路切り替えユニットをユニット取り付け具に取り付け固定しているねじを容易に取り外すことができる。特に、１箇所の位置で流路切り替えユニットをユニット取り付け具に取り付け固定している構成のものにあっては１本のねじを外せばよいので、その作業は素人にとっても容易である。
【００３９】
そして、その固定ねじを外した状態にあっては、流路切り替えユニットは往管に支持されて宙に浮いた態様でユニット取り付け具にフリーな状態（ねじ固定の拘束から開放されたフリーな状態）で載っているだけなので、浴槽を退かすために移動させると、流路切り替えユニットもユニット取り付け具のスライド移動面上でスライド移動して浴槽と同じ方向に追従して移動するので、浴槽と浴室壁面間のデッドスペースに幼児が玩具等を誤って落としてしまった場合には、浴槽設置施工の工事に詳しくない父親等の素人の大人であっても、その落とした玩具を取り出すために充分な移動量だけ浴槽を退かすことができるので、幼児が落とした玩具等の落し物を容易に浴槽と浴室壁面間のデッドスペースから取り出すことができる。
【００４０】
また、落し物を取り出した後に、退かした浴槽を元の位置に戻して流路切り替えユニットをユニット取り付け具にねじ固定する作業も容易に行うことができる。この場合、ねじ固定する作業をし忘れたとしても、流路切り替えユニットはユニット取り付け具のスライド移動面に載置された状態にあるので、往管に支持されて宙に浮いた状態の流路切り替えユニットの重量が往管に掛かって往管を傷めるということもなく、何ら支障なくそのままの状態で給湯風呂装置を使用し続けることができる。
【００４１】
さらに、流路切り替えユニットを構成する流路切り替えユニットを構成するユニットボディーの内壁面には凹部が形成され、該凹部の開口面は弾性を有する弾性部材によって気密に閉鎖されて該弾性部材と凹部の壁面とによって圧力緩和室が形成され、前記凹部の壁面には前記圧力緩和室を外気に連通する通気孔が形成されている内壁面に凹部を形成して圧力緩和室を形成した発明においては、該ユニットボディー内の密封空間が温度変化を受けて圧力変動を起しても、その圧力変動に応答して圧力緩和室を構成している弾性部材が変形してユニットボディー内の密封空間の圧力変動を吸収緩和するので、前記ユニットボディーがその内部の密封空間の圧力変動を受けて破損したり、ユニットボディー内に収容されている電気回路（ユニットボディー内に収容されている流路切り替え弁のモータ等を動作するための電気回路）がその圧力変動を受けて水が侵入し、劣化（電気特性や機械的強度の劣化）する不具合の発生を防止できる。
【００４２】
さらに、本発明のユニット取り付け具は、対を成す一方の立設板にはねじ挿通孔と、該ねじ挿通孔よりも大径でねじ回しの工具が挿入可能な工具挿入孔とが複数形成され、前記対を成す他方の立設板には前記一方の立設板のねじ挿通孔に対向する位置に工具挿入孔が形成されると共に、前記一方の立設板の工具挿入孔に対向する位置にねじ挿通孔が形成されている構成としたので、対を成す２枚の立設板の何れを浴室壁面への固定側にしても、浴室壁面への固定側の立設板のねじ挿通孔にねじを通して反対側の立設板の対応する工具挿入孔からねじ回し工具（ドライバー等）を差し込んで浴室壁面にねじ固定することができる。
【００４３】
したがって、浴槽の配置位置を浴室の例えば右隅にした場合と左隅にした場合等の異なる配置位置に応じて、２枚の立設板のうちの何れを浴室壁面への固定側の立設板にするかを適宜選択対応できるので、浴室内での浴槽の配置位置が異なる場合においても共通のユニット取り付け具を使用して適切な位置に流路切り替えユニットを配置できる。
【図面の簡単な説明】
【００４４】
【図１】流路切り替えユニットの配置構造の一実施形態の説明図である。
【図２】出願人が開発中であり、本発明の実施の形態でもある風呂給湯装置のシステム構成図である。
【図３】本実施形態の流路切り替えユニットの配置構造における流路切り替えユニットのユニット取り付け具への取り付け状態の説明図である。
【図４】本実施形態の流路切り替えユニットの配置構造をエプロン付きの浴槽と共に示す説明図である。
【図５】本実施形態の流路切り替えユニットの配置構造における流路切り替えユニットのユニット取り付け具への取り付け方向の説明図である。
【図６】本実施形態の流路切り替えユニットの内部に形成される圧力緩和室の説明図である。
【図７】本実施形態の流路切り替えユニットを蓋体側から見た図である。
【図８】本実施形態の流路切り替えユニットを底面側から見た図である。
【図９】図７の右側面図である。
【発明を実施するための形態】
【００４５】
以下に、本発明の実施の形態を図面に基き説明する。なお、本発明における給湯風呂装置のシステム構成の実施形態は既述した図２および「背景技術」の欄で説明した内容と同じであるので、その重複説明は省略する。
【００４６】
本発明の特徴は流路切り替えユニット３６の配置構造を特有な構成としたことである。図１、図３〜図５は流路切り替えユニット３６の配置構造に関連する実施形態を示すもので、流路切り替えユニット３６は浴室内に設置された浴槽３２と浴室壁面間の狭いデッドスペース６５（図１参照）に配置される。図１に示す例では、浴槽３２は浴室の隅に設置され、浴槽３２のアダプタ３１が設けられる短辺側側面３２ａと奥側となる長辺側側面３２ｂがそれぞれ図示されていない隅部の浴室壁面と狭い間隔を介して対向してデッドスペース６５を形成している。
【００４７】
流路切り替えユニット３６はユニットボディー６６内に、往管３０ｂを往管３０ａと排水通路４８のいずれか一方へ選択的に切り替えるための流路と、その流路を切り替えるためのモータを含む三方弁の形態の第３の切り替え弁３５の機構と、該第３の切り替え弁３５の流路切り替え用のモータを駆動するための電気回路（モータの駆動制御回路）が形成された回路基板とを気密に封止収容してなるもので、ユニットボディー６６の外面には追い焚き循環通路２７の往管３０ａを接続する接続部（接続部位）６７ａと、往管３０ｂを接続する接続部（接続部位）６７ｂと、排水通路４８を接続する接続部（接続部位）６７ｃとが設けられており、各接続部６７ａ、６７ｂ、６７ｃに対応する管路（通路）３０ａ、３０ｂ、４８が接続されている。また、ユニットボディー６６からは内部の回路基板の電気回路をリモコンの回路に接続するためのリモコン線６８が導出されており、このリモコン線６８を導出するためのユニットボディー６６に設けられる穴もパッキン等により気密封止されている。
【００４８】
ユニットボディー６６は一端側の面が開口されたボディー本体６６ａと該ボディー本体６６ａの開口を塞ぐ蓋体６６ｂによって構成されており、容器本体６６ａと蓋体６６ｂは溶着（例えば、溶着線を用いた溶着）等によって気密固定されている。なお、前記往管３０ｂを往管３０ａと排水通路４８のいずれか一方へ選択的に切り替えるための流路と、その流路を切り替えるためのモータを含む三方弁の形態の第３の切り替え弁３５の機構と、該第３の切り替え弁３５の流路切り替え用のモータを駆動するための電気回路（モータの駆動制御回路）はボディー本体６６ａ側に設けられている。
【００４９】
図６に示されるように、ユニットボディー６６の内壁面（図３等に示す例では蓋体６６ｂの内壁面）には凹部７０が形成され、この凹部７０の開口は弾性を有するゴム板等の弾性部材７１によって気密に閉鎖されており、凹部７０と弾性部材７１によって応力緩和室７２が形成され、その応力緩和室７２のユニットボディー６６側の壁部には応力緩和室７２を外気に連通するための通気孔７３が形成されている。
【００５０】
流路切り替えユニット３６（ユニットボディー６６）を浴槽壁面に取り付けるためのユニット取り付け具７５は、図５に示されるように、互いに間隔を介して対向する１対の立設板７７ａ、７７ｂを有し、これらの立設板７７ａ、７７ｂの互いの片端側の上端部間は頂壁８１によって連接されており、立設板７７ａ、７７ｂはその下方部側で連結板８５によって連結されている。頂壁８１は流路切り替えユニット３６の載置面として機能すると共に流路切り替えユニット３６がスライドするスライド移動面７６としての機能をもち、中央側の面よりも両端側の面（立設板７７ａ、７７ｂの上端の端縁部の面）が低位となる段差が形成されている。そして、頂壁８１の両サイドには立設板７７ａ、７７ｂに沿って先端側から基端側に切り込まれたスリット８０が形成されている。
【００５１】
一対の両側のスリット８０で挟まれる頂壁８１の部位は、流路切り替えユニット３６のユニットボディー６６が嵌め込まれてスライドするためのスライドガイド片８１ａと成している。頂壁８１の基端部位に設けられている起立板部８６は流路切り替えユニット３６（ユニットボディー６６）の載置状態の定位置を規定する位置決め部として機能している。
【００５２】
頂壁８１には下方に突き出す舌片８２が形成されており、この舌片８２には流路切り替えユニット３６（ユニットボディー６６）をねじ固定するためのねじ孔（孔の周面に雌ねじが刻設されている孔）８３が形成されている。この舌片８２は両立設板７７ａ、７７ｂ間の中心を長手方向（スライドＡ方向）に通る中心線に対し、立設板７７ａ寄り又は立設板７７ｂ寄り（図５例では立設板７７ｂ寄り）にオフセットした位置に設けられている。
【００５３】
両立設板７７ａ、７７ｂにはそれぞれ複数のねじ挿通孔７８と複数の工具挿通孔７９が設けられている。ねじ挿通孔７８はねじを通す小径の孔であり、工具挿通孔７９はねじ回し工具（ドライバー等）を挿通可能なねじ挿通孔７８よりも大径の孔である。各立設板７７ａ、７７ｂにおいて、ねじ挿通孔７８と工具挿通孔７９は間隔を介して交互に設けられており、立設板７７ａのねじ挿通孔７８は立設板７７ｂの工具挿通孔７９に対向し、立設板７７ａの工具挿通孔７９は立設板７７ｂのねじ挿通孔７８に対向している。
【００５４】
このユニット取り付け具７５は浴槽３２と浴室壁面間のデッドスペースとなる浴室壁面に取り付けられるもので、図１、図４に示す例では、ユニット取り付け具７５は浴槽３２のアダプタ３１が設けられている短辺側側面３２ａに対向する浴室壁面に取り付けられている。このユニット取り付け具７５の取り付けは、頂壁８１を上側にして１対の立設板７７ａ、７７ｂのうちの一方側の立設板を浴室壁面にあてがい、その浴室壁面にあてがっている方の立設板のねじ挿通孔７８にねじ（図示せず）を通し、反対側（手前側）の立設板の対向（対応）する工具挿通孔７９からねじ回し工具を挿入して、ねじ挿通孔７８に挿入されているねじを浴室壁面側に設けたねじ孔に螺合回転することにより、ユニット取り付け具７５は浴室壁面に螺合締結される。
【００５５】
本実施形態のユニット取り付け具７５は、このように、一方側の立設板の工具挿通孔７９が他方側の立設板のねじ挿通孔７８に対向（対応）し、一方側のねじ挿通孔７８が他方側の立設板の工具挿通孔７９に対向（対応）する構成と成しているので、１対の立設板７７ａ、７７ｂのうちの何れを浴室壁面への固定側の立設板にしてもよいので、例えば、浴槽３２が浴室の右隅に設置する場合と左隅に設置する場合とで、浴室壁面への固定側となる立設板を使い分けることが可能と成している。例えば、図５（ａ）では立設板７７ｂが浴室壁面への固定側の立設板であり、図５（ｂ）では立設板７７ａが浴室壁面への固定側の立設板である。図１、図４の例では、立設板７７ａが浴室壁面への固定側の立設板と成している。
【００５６】
なお、ユニット取り付け具７５の浴室壁面への取り付け位置は、図１、図４に示されるように、浴槽３２を浴室に設置した状態で、浴槽３２の短辺側側面３２ａの手前側となる位置にすれば、後述の、浴槽３２を退かす際に、ねじ８４の取り外し作業を容易に行えるので都合がよい。
【００５７】
流路切り替えユニット３６（ユニットボディー６６）のユニット取り付け具７５への取り付けは、図５に示されるように、流路切り替えユニット３６をユニット取り付け具７５へスライドＡ方向へ挿入することにより行われる。図７、図８図９に示されるように、ユニットボディー６６の底壁からは下方へ向けてガイド枠部８８が突き出されており、このガイド枠部８８にＡ方向に貫通した偏平なガイド穴８９（図９参照）が形成されている。
【００５８】
そして、ガイド枠部８８の底面からは取り付け板部６４ａ、６４ｂが下方へ向けて突き出されており、各取り付け板部６４ａ、６４ｂにはねじ挿通孔６３が設けられている。取り付け板部６４ａと取り付け板部６４ｂはＡ方向に間隔を介して、底壁のＡ方向の中心線に対し互いに反対方向に同じ量だけオフセットした位置にそれぞれねじ挿通孔６３が設けられている。
【００５９】
流路切り替えユニット３６をＡ方向に差し込みながらガイド枠部８８のガイド穴８９をユニット取り付け具７５のスライドガイド片８１ａへ挿入して起立板部８６側へ向けてスライド移動することにより流路切り替えユニット３６はユニット取り付け具７５の頂壁８１に載置し、流路切り替えユニット３６のユニットボディー６６の底壁から突き出し形成されている取り付け板部６６ａ、６６ｂの一方が舌片８２に当接し、取り付け板部に設けたねじ挿通孔６３が舌片８２に設けたねじ孔８３に一致する。この状態で、図５に示されるように、ねじ８４を取り付け板部のねじ挿通孔６３に通して該ねじ８４をねじ孔８３に螺合回転することにより、流路切り替えユニット３６（ユニットボディー６６）はユニット取り付け具７５へ１本のねじ８４によって締結固定される。
【００６０】
因みに、図５（ａ）に示す向きで流路切り替えユニット３６をユニット取り付け具７５に取り付ける場合には、取り付け板部６４ａが舌片８２に当接してねじ固定され、図５（ｂ）に示す向きで流路切り替えユニット３６をユニット取り付け具７５に取り付ける場合には、取り付け板部６４ｂが舌片８２に当接してねじ固定される。
【００６１】
図３は流路切り替えユニット３６がユニット取り付け具７５に取り付けられている状態を示し、ユニットボディー６６の底面は起立板部８６（図５参照）側となる頂壁８１の面上に載置された状態でユニット取り付け具７５に固定されている。
【００６２】
なお、本実施形態においては、図５（ａ）、（ｂ）に示されるように、１対の立設板７７ａ、７７ｂのうちのいずれを浴槽壁面への固定側にするかによって流路切り替えユニット３６の方向が１８０度異なり、舌片８２が前述したように中心線からオフセットされているので、流路切り替えユニット３６の方向が１８０度異なるごとに、ユニット取り付け具７５への固定用に使用する取り付け板部６４ａ、６４ｂを選択的に使い分けしている。
【００６３】
上記のようにして、ユニット取り付け具７５は浴室壁面に取り付けられ、流路切り替えユニット３６はユニット取り付け具７５に取り付けられることで、流路切り替えユニット３６は浴槽３２と浴室壁面間のデッドスペースに配置される。
【００６４】
本実施形態においては、ねじ８４を舌片８２のねじ孔８３から取り外せば、流路切り替えユニット３６はユニット取り付け具７５との締結固定状態から開放されるので、ユニット取り付け具７５のスライド移動面７６に沿って、例えば、図３のＡ方向にスライド移動が可能となる。
【００６５】
それ故、幼児が誤って玩具や、タオル等を浴槽３２と浴室壁面間の狭いデッドスペースに落としてしまった場合には、そのデッドスペースにねじ回し工具（ドライバー）を差し込んで、１本のねじ８４を取り外すだけで流路切り替えユニット３６のユニット取り付け具７５に対する固定状態を解除できる。本実施形態では、図５に示されるように、ねじ８４がねじ孔８３に螺合進退する方向は流路切り替えユニット３６がユニット取り付け具７５のスライド移動面７６をスライド移動するＡ方向と同じなので、ねじ回し工具をデッドスペース間で対向している浴槽壁面および浴槽３２の短辺側側面３２ａに沿う方向に差し込めばよいので、ねじ回し工具を浴槽壁面や、短辺側側面３２ａが邪魔になることなくデッドスペース間にスムーズに差し込んでねじ回しできるので、ねじ８４の取り外し作業を容易に行うことができる。
【００６６】
特に、本実施形態では、ユニット取り付け具７５の浴室壁面への取り付け位置がデッドスペースの奥側ではなく手前側（短辺側側面３２ａの手前側）であるので、デッドスペースの手前側でねじ８４の取り外し作業ができるので、その作業を容易に行うことができる。
【００６７】
そして、ねじ８４を取り外した後に、浴槽３２を浴槽壁面から離れるＡ方向に退かすことにより、流路切り替えユニット３６はユニット取り付け具７５のスライド移動面７６に沿って同じＡ方向にスライド移動でき、流路切り替えユニット３６に接続されている往管３０ａ、３０ｂも流路切り替えユニット３６と一緒に動き易くなるので、浴槽３２の退かしの移動量を大きくでき、浴槽３２の設置状態において、特に奥側となって手が差し込み難い浴槽３２の長辺側側面３２ｂと浴槽壁面間のデッドスペースに玩具等を落としてしまった場合であっても、往管３０ａ、３０ｂの接続を外すことなく、落とした玩具等を容易に取り出すことができる。
【００６８】
落とした玩具等を取り出した後には、退かした浴槽３２を元の位置に戻すとともに、流路切り替えユニット３６をユニット取り付け具７５に再びねじ８４によってねじ固定すればよい。このとき、流路切り替えユニット３６をユニット取り付け具７５にねじ固定する作業を忘れて怠ったとしても、流路切り替えユニット３６は往管３０ａ、３０ｂに宙吊りされた状態ではなく、ユニット取り付け具７５の頂壁８１上に安定した載置状態にあるので、そのまま給湯風呂装置の使用を継続しても支障はない。
【００６９】
また、本実施形態においては、ユニットボディー６６の内部に応力緩和室７２を設けているので、ユニットボディー６６の内部の圧力変動に起因する悪影響を回避できる。すなわち、ユニットボディー６６内には第３の切り替え弁３５が構築されているので、第３の切り替え弁３５の流路切り替え動作によるエネルギーの熱（モータや回路の発熱）や、第３の切り替え弁３５を通過する湯水温度の変化や、環境温度変化等によって密封状態のユニットボディー６６内の温度が変化し、これによってユニットボディー６６内の圧力が変動する。また、前記デッドスペースに落とした玩具を取り出すために、浴槽３２を退かす場合には浴槽３２に嵌めこみ装着されているエプロン８７（図４参照）を外して浴槽３２を移動することとなるので、浴槽３２を退かしている最中に浴槽３２内の湯が浴槽外にこぼれて流路切り替えユニット３６に掛かる場合があり、このときにもその湯がユニットボディー６６に掛かることにより、ユニットボディー６６内の温度が変化して圧力が変動する。
【００７０】
このように、ユニットボディー６６の圧力が変動し、特に、ユニットボディー６６内の温度が高くなる方向に変化すると、ユニットボディー６６の壁面に大きな膨張圧力が作用し、ボディー本体６６ａと蓋体６６ｂを溶着している溶着面が剥がれて破壊するという問題が生じる。そのような破壊に至らない場合であっても、膨張や収縮を繰り返す圧力変化を受けてユニットボディー６６の溶着面が疲労により細孔やすきまが空くと、水蒸気や水分が内部に入り込み、内部に収容されている回路基板の電気回路（第２の切り替え弁３４の流路切り替えの駆動制御回路等）が特性劣化等の悪影響を受ける。
【００７１】
この点、本実施形態においては、ユニットボディー６６内の圧力が変動したときには応力緩和室７２の弾性部材７１がその圧力変動を受けて変位して、応力緩和室７２内の空気が通気孔７３を通して大気に流通するので、ユニットボディー６６内の圧力変動が吸収緩和され、上記のようなユニットボディー６６内の圧力変動に起因する問題発生を解消できる。
【００７２】
なお、本発明は上記実施形態例に限定されず、本発明の技術思想（技術的範囲）を逸脱しない範囲で様々な実施の形態をとり得る。たとえば、上記実施形態ではねじ８４をねじ孔８３に螺合進退する方向は流路切り替えユニット３６のスライド方向と同方向（Ａ方向）としたが、必ずしもＡ方向と同方向でなくてもよい。この場合においても、ねじ８４の螺合進退方向をデッドスペースにおいて互いに対向する浴槽壁面と浴室壁面に沿う方向にすれば、ねじ回し工具を浴室壁面や浴槽壁面が邪魔にならずにデッドスペース内にスムーズに差し込めてねじ８４の着脱作業を容易にできる。
【００７３】
また、実施形態では、流路切り替えユニット３６をユニット取り付け具７５に１本のねじ８４によって固定しているが、これを複数のねじを用いて固定するようにしてもよい。ただ、流路切り替えユニット３６はユニット取り付け具７５の頂壁８１上に載置されて支持されているので、必ずしも強固に固定する必要はなく、ねじの着脱作業性を高めるうえでは１本のねじ（ねじ８４）を用いて固定する方が好ましい。
【００７４】
さらに、本実施形態では、１対の立設板７７ａ、７７ｂの両方にねじ挿通孔７８と工具挿通孔７９を共に設けたが、１対の立設板７７ａ、７７ｂの一方にはねじ挿通孔７８のみを設け、他方には工具挿通孔７９のみを設ける構成としてもよい。この場合には、浴槽３２を浴室の右隅に設置する場合と左隅に設置する場合等とで、立設板７７ａにねじ挿通孔７８を設けたユニット取り付け具７５と立設板７７ｂにねじ挿通孔７８を設けたユニット取り付け具７５とを使い分ければよい。
【００７５】
さらに、本実施形態では、ユニット取り付け具７５に設ける舌片８２や、ユニットボディー６６に設ける取り付け板部（ねじ挿通孔が設けられている取り付け板部）は中心線に対してオフセットして設けたがこれに限定されることはなく、ユニット取り付け具７５とユニットボディー６６とがねじ結合できる形態であれば、他の構成でもよい。要するに、ユニットボディー６６をユニット取り付け具７５に、デッドスペースにおいて対向する浴室壁面と浴槽壁面に沿う方向に螺合進退させるねじで着脱できる構成であれば実施形態以外の他の取り付け構成を採用できる。
【００７６】
さらに、ユニット取り付け具７５に形成する頂壁８１（スライドガイド片８１ａ）やガイド枠部８８の構成（形態）も本実施形態のものに限定されることは無く、ユニットボディー６６がユニット取り付け具７５の上面に載置されてスライド可能な構成であれば他の構成のものでもよい。
【産業上の利用可能性】
【００７７】
本発明の流路切り替えユニットの配置構造及びその流路切り替えユニットとユニット取り付け具並びに流路切り替えユニットを備えた給湯風呂装置は、熱交換器で発生したドレン水を風呂の追い焚き循環通路の一部の通路を兼用してその追い焚き循環通路の往管に接続した排水通路から浴室内に排出する風呂給湯の装置に適用できる。
【符号の説明】
【００７８】
２７      追い焚き循環通路
３０（３０ａ、３０ｂ）      往管
３２      浴槽
３６      流路切り替えユニット
７２      応力緩和室
７３      通気孔
７５      ユニット取り付け具
７６      スライド移動面
７７（７７ａ、７７ｂ）      立設板
７８      ねじ挿通孔
７９      工具挿通孔
【図１】
0005570378.tif 000002
【図２】
0005570378.tif 000003
【図３】
0005570378.tif 000004
【図４】
0005570378.tif 000005
【図５】
0005570378.tif 000006
【図６】
0005570378.tif 000007
【図７】
0005570378.tif 000008
【図８】
0005570378.tif 000009
【図９】
0005570378.tif 000010